(57)【要約】【課題】開封誘導線を用いた易開封包装袋に関して、充填包装機上において破れ等の不具合が生じ難い易開封の包装袋を提案するものである。【解決手段】積層体を、積層体の流れ方向に平行な山折罫線７に沿って折り、サイドシール部３を形成して筒状にし、トップシール部２、ボトムシール部４を形成してなる３方シール包装袋であって、トップシール部付近の基材層に、開封誘導線６が設けられており、該開封誘導線は、表面側の積層体のサイドシール部近傍の出発点６ｓから出発して裏面側の積層体のサイドシール部近傍の終点６ｅに至るなめらかな曲線状のハーフカット線であり、出発点及び終点付近に、サイドシール部に平行な部分Ａと、これに続いてトップシール部に平行な部分Ｂと、さらに前記山折罫線と直角に交わる部分Ｃを有し、Ｂ部分よりもＣ部分がトップシール部から遠い位置にあることを特徴とする包装袋である。【選択図】図１
2020066442.tif 000002
【特許請求の範囲】
【請求項１】
基材層とシーラント層を有する積層体を、シーラント層が内側となるように山折罫線に沿って折り、山折罫線に平行なサイドシール部を形成して筒状に成型し、トップシール部、ボトムシール部を形成してなる３方シール包装袋であって、トップシール部付近の基材層に、包装袋をサイドシール部に直角な方向に開封するための開封誘導線が設けられており、該開封誘導線は、表面側の積層体のサイドシール部近傍の出発点から出発して裏面側の積層体のサイドシール部近傍の終点に至るなめらかな曲線状のハーフカット線であり、出発点及び終点付近に、サイドシール部に平行な部分（Ａ部分）を有し、これに続いてトップシール部に平行な部分（Ｂ部分）を有し、さらに前記山折罫線と直角に交わる部分（Ｃ部分）を有し、Ｂ部分よりもＣ部分がトップシール部から遠い位置にあることを特徴とする包装袋。
【請求項２】
基材層とシーラント層を有する積層体を、シーラント層が内側となるように２本以上の山折罫線に沿って折り、山折罫線に平行な合掌シール部を形成して筒状に成型し、トップシール部、ボトムシール部を形成してなるピロー包装袋であって、トップシール部付近の基材層に、包装袋を合掌シール部に直角な方向に開封するための開封誘導線が設けられており、該開封誘導線は、積層体の合掌シール部右側近傍の出発点から出発して左側近傍の終点に至るなめらかな曲線状のハーフカット線であり、出発点及び終点付近に、合掌シール部に平行な部分（Ａ部分）を有し、これに続いてトップシール部に平行な部分（Ｂ部分）を有し、さらに前記山折罫線と直角に交わる部分（Ｃ部分）を有し、Ｂ部分よりもＣ部分がトップシール部から遠い位置にあることを特徴とする包装袋。
【請求項３】
サイドシール部のトップシール部付近に開封開始部を有することを特徴とする請求項１に記載の包装袋。
【請求項４】
合掌シール部のトップシール部付近に開封開始部を有することを特徴とする請求項２に記載の包装袋。
【請求項５】
開封誘導線のＣ部分が円弧状であることを特徴とする請求項１または３に記載の包装袋。
【請求項６】
開封誘導線が山折罫線を中心として線対称でないことを特徴とする請求項１、３または５に記載の包装袋。
【請求項７】
基材層とシーラント層の間に、アルミニウム箔層を有することを特徴とする請求項１〜６のいずれか１項に記載の包装袋。
【発明の詳細な説明】
【技術分野】
【０００１】
本発明は包装袋に関し、特に開封性が良好であり、製造工程においても問題の生じ難い易開封の包装袋に関する。
【背景技術】
【０００２】
軟包装フィルムの積層体を製袋して得られる軟包装袋は、さまざまな内容物を収納する包装袋として使用されている。これらの包装袋は、手で簡単に開封ができるようにするために、直線カット性の良い材料を使用したり、開封用ノッチやハーフカット線を設けるなど、さまざまな工夫がこらされてきた。
【０００３】
図１１に示したような一般的な四方袋においては、左右両側のサイドシール部にそれぞれ開封用ノッチ８を設けてある例が多い。いずれか一方の開封用ノッチから出発した表裏面の積層体フィルムの裂け目は、反対側のサイドシール部で止まってしまい開封片を最後まで切り取ることができないことがある。そこで反対側のサイドシール部に設けられた開封用ノッチから改めて切り始めるが、この左右両側から出発した裂け目は必ずしも一致しないため、開封片が切り取られずに残ってしまったり、切り取れたとしてもヒゲ状のフィルムが残ってしまったりする。
【０００４】
図１２に示したような一般的な三方シール袋においても同様に、左側のサイドシール部に設けられた開封ノッチ８から出発した積層体フィルムの裂け目は、右方向に進行するが、直線カット性の良好な材料を使用したとしても、表裏面において必ずしも同一の経路をたどらないため、右端において表裏面の裂け目が一致せず、開封片の切り離れが悪いという問題が生じる。しかもこの場合には、四方袋の場合のように反対側から切り直すという操作ができない。
【０００５】
この問題を解消するために、積層体フィルムにレーザー加工等によるハーフカット線を設けて、開封誘導線とする方法がある。この方法によると確実に開封片を切り取ることができ、また切り口もきれいに仕上る。
【０００６】
しかし、この方法における問題点として、開封のきっかけとなる開封ノッチはシール部に設けられることが多いため、製袋後に後から開封ノッチを設ける場合、開封誘導線と開封ノッチの位置を正確に一致させることが難しいという問題があった。
【０００７】
この問題を解消するために、出願人は、特許文献１において、基材層とシーラント層を有する積層体を、シーラント層が内側となるように、流れ方向に平行な山折罫線に沿って折り、トップシール部、ボトムシール部を含む周縁部をシールしてなる包装袋であって、トップシール部付近の基材層に、前記山折罫線を中心にして線対称であり、かつ下に凸の形状を有する開封誘導線が形成されており、該開封誘導線は最下部に、前記山折罫線と直角に交わる水平部を有することを特徴とする易開封性包装袋を提案した。
【０００８】
この易開封性包装袋は、開封誘導線に対する開封開始部の位置が多少ずれたとしても安定した開封が可能であり、上記の従来の問題点を解消するものであったが、実際の生産工程において、新たな問題が発見された。すなわち、特許文献１に記載された易開封性包装袋は、製袋と充填を同時に連続的に行う充填包装機で使用した場合に、開封誘導線の一部が包装機の部品に引っ掛かり、包装材の破れを生じることがあることが判明したのである。
【０００９】
この問題の原因は、巻取りから連続的に供給される積層体の山折罫線と開封誘導線の水平部分とが交わる点が包装袋の進行方向先頭から近い位置にあるためであることが判明したのである。またさらに開封開始位置が進行方向先頭のトップシール部にあることも原因の一つとなっていることも判明した。
【先行技術文献】
【特許文献】
【００１０】
【特許文献１】特開２０１４−１６６８５４号公報
【発明の概要】
【発明が解決しようとする課題】
【００１１】
本発明の解決しようとする課題は、開封誘導線を用いた易開封包装袋に関して、充填包装機上において破れ等の不具合が生じ難い易開封の包装袋を提案するものである。
【課題を解決するための手段】
【００１２】
上記の課題を解決するための手段として、請求項１に記載の発明は、基材層とシーラント層を有する積層体を、シーラント層が内側となるように山折罫線に沿って折り、山折罫線に平行なサイドシール部を形成して筒状に成型し、トップシール部、ボトムシール部を形成してなる３方シール包装袋であって、トップシール部付近の基材層に、包装袋をサイドシール部に直角な方向に開封するための開封誘導線が設けられており、該開封誘導線は、表面側の積層体のサイドシール部近傍の出発点から出発して裏面側の積層体のサイドシール部近傍の終点に至るなめらかな曲線状のハーフカット線であり、出発点及び終点付近に、サイドシール部に平行な部分（Ａ部分）を有し、これに続いてトップシール部に平行な部分（Ｂ部分）を有し、さらに前記山折罫線と直角に交わる部分（Ｃ部分）を有し、Ｂ部分よりもＣ部分がトップシール部から遠い位置にあることを特徴とする包装袋である。
【００１３】
また、請求項２に記載の発明は、基材層とシーラント層を有する積層体を、シーラント層が内側となるように２本以上の山折罫線に沿って折り、山折罫線に平行な合掌シール部を形成して筒状に成型し、トップシール部、ボトムシール部を形成してなるピロー包装袋であって、トップシール部付近の基材層に、包装袋を合掌シール部に直角な方向に開封するための開封誘導線が設けられており、該開封誘導線は、積層体の合掌シール部右側近傍の出発点から出発して左側近傍の終点に至るなめらかな曲線状のハーフカット線であり、出発点及び終点付近に、合掌シール部に平行な部分（Ａ部分）を有し、これに続いてトップシール部に平行な部分（Ｂ部分）を有し、さらに前記山折罫線と直角に交わる部分（Ｃ部分）を有し、Ｂ部分よりもＣ部分がトップシール部から遠い位置にあることを特徴とする包装袋である。
【００１４】
本発明に係る包装袋は、開封誘導線の形状において、山折罫線と交差する部分をトップシール部から離れた位置にくるようにしたことにより、充填包装機上におけるトラブルを防止することができる。
【００１５】
また、請求項３に記載の発明は、サイドシール部のトップシール部付近に開封開始部を有することを特徴とする請求項１に記載の包装袋である。
【００１６】
また、請求項４に記載の発明は、合掌シール部のトップシール部付近に開封開始部を有することを特徴とする請求項２に記載の包装袋である。
【００１７】
また、請求項５に記載の発明は、開封誘導線のＣ部分が円弧状であることを特徴とする請求項１または３に記載の包装袋である。
【００１８】
また、請求項６に記載の発明は、開封誘導線が山折罫線を中心として線対称でないことを特徴とする請求項１、３または５に記載の包装袋である。
【００１９】
また、請求項７に記載の発明は、基材層とシーラント層の間に、アルミニウム箔層を有することを特徴とする請求項１〜６のいずれか１項に記載の包装袋である。
【発明の効果】
【００２０】
本発明に係る包装袋は、開口部をほぼ一周する開封誘導線を設けたことにより、開封誘導線にそって容易にまた綺麗に開封可能である。
【００２１】
本発明に係る包装袋は、開封誘導線と山折罫線とが交差する部分を充填包装機上において、進行方向の先頭であるトップシール部から離れた場所に位置するようにした事により、充填包装機における機構部品との接触による開封誘導線の破損を防止することができた。
【００２２】
開封開始部をサイドシール部あるいは合掌シール部に設けた場合には、積層体の流れ方向に直交する方向に開口をとることができ、開口径を最大にすることができる。また充填包装機の機構部品との接触の点でも有利である。
【００２３】
請求項６に記載の発明のように、開封誘導線を山折罫線を中心として線対称でない形状とした場合には、開口部において表面側の積層体と裏面側の積層体とが同じ位置で切断されないため、切断後の開口部を開き易くなる。
【００２４】
請求項７に記載の発明のように、基材層とシーラント層の間に、アルミニウム箔層を設けた場合には、開封誘導線の設置に当たって、レーザー光を用いた場合に、レーザー光がアルミニウム箔で確実に止まるため、安定したハーフカット加工ができる。
【図面の簡単な説明】
【００２５】
【図１】図１は、本発明に係る易開封包装袋の第一の実施形態を示した平面模式図であり、三方シール包装袋の例である。
【図２】図２は、図１に示した包装袋のシール前の展開図を示した説明図である。開封誘導線の形状は、実施例１の包装袋に用いたものである。
【図３】図３は、本発明に係る易開封包装袋の第二の実施形態を示した平面模式図であり、ピロー包装袋の例である。
【図４】図４は、図３に示した包装袋のシール前の展開図を示した説明図である。
【図５】図５は、本発明に係る易開封ピロー包装袋の他の実施態様における斜視説明図である。
【図６】図６は、本発明に係る易開封ピロー包装袋の他の例を示した斜視説明図であり、ガセットピロー包装袋の例である。
【図７】図７は、本発明に係る易開封包装袋における開封誘導線の他の形状を示した平面説明図であり、実施例２の包装袋に用いたものである。
【図８】図８は、本発明に係る易開封包装袋における開封誘導線の他の形状を示した平面説明図であり、実施例３の包装袋に用いたものである。
【図９】図９は、本発明に係る易開封包装袋に用いる積層体の層構成の一例を示した断面模式図である。
【図１０】図１０は、比較例１に用いた開封誘導線の形状を示した平面説明図である。
【図１１】図１１は、従来の四方シール包装袋の開封時における開封線の挙動を示した説明図である。
【図１２】図１２は、従来の三方シール包装袋の開封時における開封線の挙動を示した説明図である。
【発明を実施するための形態】
【００２６】
以下図面を参照しながら、本発明に係る易開封包装袋１について詳細に説明する。図１は、本発明に係る易開封包装袋１の第一の実施形態を示した平面模式図であり、三方シール包装袋の例である。図２は、図１に示した易開封包装袋のシール前の展開図を示した説明図である。
【００２７】
本発明に係る易開封包装袋１は、基材層とシーラント層を有する積層体を、シーラント層が内側となるように積層体の流れ方向Ｌに平行な山折罫線７に沿って折り、山折罫線７に平行なサイドシール部３を形成して筒状に成型し、トップシール部２、ボトムシール部４を形成してなる３方シール包装袋であって、トップシール部２付近の基材層に、包装袋を積層体の流れ方向に直角な方向に開封するための開封誘導線６が設けられており、開封誘導線６は、表面側の積層体のサイドシール部近傍の出発点６ｓから出発して裏面側の積層体のサイドシール部近傍の終点６ｅに至るなめらかな曲線状のハーフカット線であり、出発点及６ｓび終点６ｅ付近に、サイドシール部に平行な部分（Ａ部分）Ａを有し、これに続いてトップシール部２に平行な部分（Ｂ部分）Ｂを有し、さらに山折罫線７と直角に交わる部分（Ｃ部分）Ｃを有し、Ｂ部分よりもＣ部分がトップシール部２から遠い位置にあることを特徴とする包装袋である。
【００２８】
本発明に係る易開封包装袋１は、開封誘導線６をサイドシール部に平行な部分（Ａ部分）Ａと、これに続いてトップシール部２に平行な部分（Ｂ部分）Ｂと、山折罫線７と直角に交わる部分（Ｃ部分）Ｃとの３つの部分に分け、Ｂ部分よりもＣ部分がトップシール部２から遠い位置になるようにしたことにより、充填製袋機上において、機構部品との干渉による開封誘導線部分における積層体の破損を防止することが可能となったのである。
【００２９】
開封誘導線６を形成する方法としては、特に制約はないが、レーザー加工機を用いることにより、さまざまな形状の開封誘導線を容易に試行することができて効率が良い。
【００３０】
開封誘導線６は、図７に示したように、山折罫線７を中心として線対称でない形状とすることもできる。こうすることにより、表面側の積層体と裏面側の積層体で切断位置がずれるため、開封時に開口部を開き易いという利点が生じる。
【００３１】
図３は、本発明に係る易開封包装袋の第二の実施形態を示した平面模式図であり、ピロー包装袋の例である。図４は、図３に示した包装袋のシール前の展開図を示した説明図である。本発明に係る易開封包装袋１は、基材層とシーラント層を有する積層体を、シーラント層が内側となるように積層体の流れ方向Ｌに平行な２本以上の山折罫線７ａ、７ｂに沿って折り、山折罫線に平行な合掌シール部５を形成して筒状に成型した後、トップシール部２、ボトムシール部４を形成してなるピロー包装袋であって、トップシール部付近の基材層に、包装袋を積層体の流れ方向に直角な方向に開封するための開封誘導線６が設けられており、開封誘導線６は、積層体の合掌シール部右側近傍の出発点６ｓから出発して左側近傍の終点６ｅに至るなめらかな曲線状のハーフカット線であり、出発点６ｓ及び終点６ｅ付近に、合掌シール部５に平行な部分（Ａ部分）Ａを有し、これに続いてトップシール部に平行な部分（Ｂ部分）Ｂを有し、さらに山折罫線７ａ、７ｂと直角に交わる部分（Ｃ部分）Ｃを有し、Ｂ部分よりもＣ部分がトップシール部２から遠い位置にあることを特徴とする包装袋である。
【００３２】
図３に示した包装袋は、合掌貼りピロー包装袋であり、一般的に単にピロー包装袋と呼ばれるものである。本発明の趣旨は、開封開始部をサイドシール部あるいは合掌シール部とすることにより、図１に示した三方シール袋であっても、図３に示したピロー包装袋であっても、同様の作用効果を奏するものとなる。開封開始部８は、図１や図３に示したようなＶカットでもよいし、Ｕカット、Ｉカット等でも良い。
【００３３】
図５は、本発明に係る易開封ピロー包装袋の他の実施態様における斜視説明図である。また、図６は、本発明に係る易開封ピロー包装袋の他の例を示した斜視説明図であり、ガセットピロー包装袋の例である。図６に示したようなガセット部を有するピロー包装袋の場合には、山折罫線が４本となる。図６では、７ａ、７ｂ、７ｃの３本が見えている。
【００３４】
図９は、本発明に係る易開封包装袋に用いる積層体１０の層構成の一例を示した断面模式図である。積層体１０としては、基材層１１とシーラント層１３は必須である。この例では、基材層１１とシーラント層１３の間に、アルミニウム箔層１２を有する。このように、アルミニウム箔層１２が存在することにより、レーザー加工機を用いて基材層１１に開封誘導線６を形成する際に、アルミニウム層でレーザー光が反射するために、切り過ぎることがなく、加工が安定する。また開封誘導線によって積層体のガスバリア性が劣化することもない。
【００３５】
基材層１１に用いる合成樹脂フィルムとしては、各種合成樹脂フィルムが使用可能であるが、一般的に用いられる材料としては、ポリエチレンテレフタレート（ＰＥＴ）樹脂フィルム、延伸ポリプロピレン（ＯＰＰ）樹脂フィルム、延伸ポリアミド樹脂フィルム（ＯＮｙ）等である。
【００３６】
シーラント層１３に用いられる材料としては、ポリオレフィン系樹脂が一般的に使用される。具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブック共重合体、プロピレン−αオレフィン共重合体などのポリプロピレン系樹脂等が使用される。以下実施例に基いて本発明に係る易開封包装袋について具体的に説明する。
【実施例】
【００３７】
＜実施例１＞
基材層として、厚さ１２μｍのＰＥＴ樹脂フィルムを使用し、ＰＥ樹脂を用いた押出しラミネートによって厚さ７μｍのアルミニウム箔と貼り合せた。さらにシーラント層として厚さ３０μｍのＰＥ樹脂層を形成し、積層体とした。炭酸ガスレーザー加工機を用いて、図２に示したような、Ｃ部分が円弧形状の開封誘導線を形成した。Ｂ部分とＣ部分の段差は５ｍｍである。
【００３８】
積層体を充填製袋機にセットし、図１に示したような三方シール包装袋を作成した。出来上がった包装袋を目視にて傷等の欠点がないかどうか確認した。また、包装袋を常温水中に浸漬して、気泡の発生の有無を確認した。さらに包装袋の積層体の搬送方向となるよ
うに両端部を引張試験機に固定し、張力を変化させて開封誘導線又はその近傍から破断した際の張力（破断張力Ｎ／１５ｍｍ）を確認した。
【００３９】
＜実施例２＞
開封誘導線の形状を図７に示したように、Ｂ部分、Ｃ部分とも直線状で、Ｂ部分とＣ部分の段差が５ｍｍの形状とした以外は、実施例１と同様にして積層体を作成し、同様に評価した。
【００４０】
＜実施例３＞
開封誘導線の形状を図８に示したように、Ｂ部分、Ｃ部分とも直線状で、Ｂ部分とＣ部分の段差が１５ｍｍの形状とした以外は、実施例１と同様にして積層体を作成し、同様に評価した。
【００４１】
＜比較例１＞
比較例として、開封誘導線を図１０に示したように、Ｃ部分が存在しない形状とした以外は、実施例１と同様にして積層体を作成し、同様に評価した。結果を表１に示す。
【００４２】
【表１】
2020066442.tif 000003
【００４３】
表１の結果から、本発明に係る易開封包装袋は、充填製袋機上において、安定した充填適性を示すことが判明した。
【符号の説明】
【００４４】
１・・・易開封包装袋
２・・・トップシール部
３・・・サイドシール部
４・・・ボトムシール部
５・・・合掌シール部
６・・・開封誘導線
６ｓ・・・出発点
６ｅ・・・終点
Ａ・・・Ａ部分
Ｂ・・・Ｂ部分
Ｃ・・・Ｃ部分
７、７ａ、７ｂ、７ｃ・・・山折罫線
Ｌ・・・積層体の流れ方向
８・・・開封開始部
１０・・・積層体
１１・・・基材層
１２・・・アルミニウム箔層
１３・・・シーラント層
【図１】
2020066442.tif 000004
【図２】
2020066442.tif 000005
【図３】
2020066442.tif 000006
【図４】
2020066442.tif 000007
【図５】
2020066442.tif 000008
【図６】
2020066442.tif 000009
【図７】
2020066442.tif 000010
【図８】
2020066442.tif 000011
【図９】
2020066442.tif 000012
【図１０】
2020066442.tif 000013
【図１１】
2020066442.tif 000014
【図１２】
2020066442.tif 000015